(57)【要約】【課題】水熱交換器を容易にメンテナンスすることができる貯湯ユニットを提供する。【解決手段】断熱材１６は、支持部６０と、支持部６０とともに水熱交換器１２を覆う蓋部６５とを有する。支持部６０は、蓋部６５をスライド自在に嵌合する嵌合溝６０ａを有する。【選択図】図６
2015031427.tif 000002
【特許請求の範囲】
【請求項１】
温水を貯留するための缶体（１１）と、
上記缶体（１１）の下側に配置されると共に、上記缶体（１１）に貯留される温水を生成するための水熱交換器（１２）と、
上記水熱交換器（１２）を少なくとも覆う断熱材（１６）と
を備え、
上記断熱材（１６）は、
上記缶体（１１）の下側に位置し上記水熱交換器（１２）を支持する支持部（６０）と、
上記支持部（６０）に取り付けられて、上記支持部（６０）とともに上記水熱交換器（１２）を覆う蓋部（６５，６５Ａ）と
を有し、
上記支持部（６０）は、上記蓋部（６５，６５Ａ）をスライド自在に嵌合する嵌合溝（６０ａ）を有することを特徴とする貯湯ユニット。
【請求項２】
請求項１に記載の貯湯ユニットにおいて、
上記嵌合溝（６０ａ）は、水平方向に延在して、上記蓋部（６５）を水平方向にスライド自在とし、かつ、上記蓋部（６５）を上下方向に規制することを特徴とする貯湯ユニット。
【請求項３】
請求項１または２に記載の貯湯ユニットにおいて、
上記支持部（６０）は、上記缶体（１１）を覆うことを特徴とする貯湯ユニット。
【請求項４】
請求項１から３の何れか一つに記載の貯湯ユニットにおいて、
上記蓋部（６５Ａ）は、取手（６９）を有することを特徴とする貯湯ユニット。
【請求項５】
請求項１から４の何れか一つに記載の貯湯ユニットにおいて、
上記蓋部（６５，６５Ａ）の下端（６５ａ）は、上記支持部（６０）に当接することを特徴とする貯湯ユニット。
【請求項６】
請求項１から５の何れか一つに記載の貯湯ユニット（１）と、
上記貯湯ユニット（１）の上記水熱交換器（１２）に接続される圧縮機（２１）、膨張手段（２２）および空気熱交換器（２３）を含むヒートポンプユニット（２）と
を備えることを特徴とする給湯装置。
【請求項７】
請求項６に記載の給湯装置において、
上記ヒートポンプユニット（２）を流れる冷媒は、Ｒ３２であることを特徴とする給湯装置。
【発明の詳細な説明】
【技術分野】
【０００１】
この発明は、貯湯ユニットおよび給湯装置に関する。
【背景技術】
【０００２】
従来、貯湯ユニットとしては、特開２０１３−３６７３９号公報（特許文献１）に記載されたものがある。この貯湯ユニットは、缶体と、この缶体の下側に配置され缶体に貯留される温水を生成するための水熱交換器と、この水熱交換器を覆う断熱材とを備えている。
【先行技術文献】
【特許文献】
【０００３】
【特許文献１】特開２０１３−３６７３９号公報
【発明の概要】
【発明が解決しようとする課題】
【０００４】
ところで、上記従来の貯湯ユニットでは、水熱交換器をメンテナンスすることは、考慮されていなかった。つまり、水熱交換器を覆う断熱材が邪魔になって、水熱交換器をメンテナンスすることができない。
【０００５】
そこで、この発明の課題は、水熱交換器を容易にメンテナンスすることができる貯湯ユニットおよび給湯装置を提供することにある。
【課題を解決するための手段】
【０００６】
上記課題を解決するため、この発明の貯湯ユニットは、
温水を貯留するための缶体と、
上記缶体の下側に配置されると共に、上記缶体に貯留される温水を生成するための水熱交換器と、
上記水熱交換器を少なくとも覆う断熱材と
を備え、
上記断熱材は、
上記缶体の下側に位置し上記水熱交換器を支持する支持部と、
上記支持部に取り付けられて、上記支持部とともに上記水熱交換器を覆う蓋部と
を有し、
上記支持部は、上記蓋部をスライド自在に嵌合する嵌合溝を有することを特徴としている。
【０００７】
この発明の貯湯ユニットによれば、上記断熱材は、支持部と、支持部とともに水熱交換器を覆う蓋部とを有し、支持部は、蓋部をスライド自在に嵌合する嵌合溝を有する。これにより、水熱交換器のメンテナンス時に、蓋部を支持部からスライドさせて取り外し、水熱交換器の取り外し、取り付けまたは点検を、容易に行うことができる。
【０００８】
また、一実施形態の貯湯ユニットでは、上記嵌合溝は、水平方向に延在して、上記蓋部を水平方向にスライド自在とし、かつ、上記蓋部を上下方向に規制する。
【０００９】
この実施形態の貯湯ユニットによれば、上記嵌合溝は、水平方向に延在して、上記蓋部を水平方向にスライド自在とし、かつ、上記蓋部を上下方向に規制する。これにより、蓋部は、水熱交換器を上方から押さえることができ、貯湯ユニットの運送時などにおいて、水熱交換器の動きを抑え、水熱交換器の破損を防止できる。
【００１０】
また、一実施形態の貯湯ユニットでは、上記支持部は、上記缶体を覆う。
【００１１】
この実施形態の貯湯ユニットによれば、上記支持部は、上記缶体を覆うので、水熱交換器を覆う断熱材を、缶体を覆う断熱材として兼用できる。
【００１２】
また、一実施形態の貯湯ユニットでは、上記蓋部は、取手を有する。
【００１３】
この実施形態の貯湯ユニットによれば、上記蓋部は、取手を有するので、この取手を持ちながら、蓋部を支持部に取り付けまたは取り外すことができ、蓋部の取り付けまたは取り外しを容易に行うことができる。
【００１４】
また、一実施形態の貯湯ユニットでは、上記蓋部の下端は、上記支持部に当接する。
【００１５】
この実施形態の貯湯ユニットによれば、上記蓋部の下端は、上記支持部に当接するので、水熱交換器は、蓋部と支持部とで十分に覆われ、水熱交換器の断熱効果が向上する。
【００１６】
また、一実施形態の給湯装置では、
上記貯湯ユニットと、
上記貯湯ユニットの上記水熱交換器に接続される圧縮機、膨張手段および空気熱交換器を含むヒートポンプユニットと
を備える。
【００１７】
この実施形態の給湯装置によれば、上記貯湯ユニットを備えるので、水熱交換器を容易にメンテナンスできて、耐年性を向上できる。
【００１８】
また、一実施形態の給湯装置では、上記ヒートポンプユニットを流れる冷媒は、Ｒ３２である。
【発明の効果】
【００１９】
この発明の貯湯ユニットおよび給湯装置によれば、上記断熱材は、支持部と、支持部とともに水熱交換器を覆う蓋部とを有し、支持部は、蓋部をスライド自在に嵌合する嵌合溝を有するので、水熱交換器を容易にメンテナンスすることができる。
【図面の簡単な説明】
【００２０】
【図１】本発明の一実施形態の給湯装置を示す簡略構成図である。
【図２】給湯装置の回路図である。
【図３】本発明の第１実施形態の貯湯ユニットの斜視図である。
【図４】貯湯ユニットの配管や断熱材などを取り除いた状態を示す斜視図である。
【図５】貯湯ユニットの下部の側面からみた断面図である。
【図６】貯湯ユニットの下部の正面からみた断面図である。
【図７】本発明の第２実施形態の貯湯ユニットの蓋部を示す斜視図である。
【発明を実施するための形態】
【００２１】
以下、この発明を図示の実施の形態により詳細に説明する。
【００２２】
（第１の実施形態）
図１は、この発明の一実施形態の給湯装置を示す簡略構成図である。図２は、給湯装置の回路図である。図１と図２に示すように、給湯装置は、温水を貯留する貯湯ユニット１と、貯湯ユニット１に貯留される温水を加熱するためのヒートポンプユニット２とを備える。
【００２３】
上記貯湯ユニット１は、温水を貯留する缶体１１と、上記缶体１１に貯留される温水を加熱するための水熱交換器１２とを有する。上記ヒートポンプユニット２は、水熱交換器を除く冷媒回路を備えている。つまり、ヒートポンプユニット２は、上記水熱交換器１２に接続される圧縮機２１、膨張手段２２および空気熱交換器２３を含む。
【００２４】
上記圧縮機２１、上記水熱交換器１２、上記膨張手段２２および上記空気熱交換器２３は、冷媒配管３１を介して、順に接続される。水熱交換器１２は、凝縮器として作用し、空気熱交換器２３は、蒸発器として作用する。膨張手段２２は、例えば、膨張弁である。
【００２５】
上記ヒートポンプユニット２を流れる冷媒は、例えば、Ｒ３２である。なお、冷媒としては、二酸化炭素や、ＨＦＣ等のフロン類などを用いてもよい。
【００２６】
上記缶体１１の底部には、給水源Ｅに接続される給水配管３２から分岐した一方の入水流路３２ａが、接続されている。これにより、給水源Ｅから供給される市水が、入水流路３２ａを介して、缶体１１の底部に導入される。また、缶体１１の底部には、循環配管３３の一端が、接続されている。この循環配管３３には、循環ポンプ３４および上記水熱交換器１２が接続されている。
【００２７】
上記缶体１１の頂部には、上記循環配管３３の他端が接続されている。また、缶体１１の頂部には、給湯配管３５を介して、混合弁３６が接続されている。この混合弁３６には、給水配管３２から分岐した他方の入水流路３２ｂと、給湯端末Ｔとが接続されている。これにより、缶体１１の頂部から出湯された温水を、給水源Ｅから供給される水と混合することが可能となり、給湯端末Ｔにおいて、所望の温度の温水を供給できる。なお、図２では省略しているが、図１に示すように、缶体１１には、風呂用循環配管３７が接続され、風呂の水を循環させる。
【００２８】
そして、上記圧縮機２１および上記循環ポンプ３４を駆動させると、缶体１１内の水が、缶体１１の底部から循環配管３３を流れる。このとき、循環配管３３を流れる水は、水熱交換器１２によって加熱され（沸き上げられ）、缶体１１の頂部に返流される。このような動作を継続して行うことによって、水熱交換器１２によって生成された高温の温水を、缶体１１に貯留することができる。缶体１１内の温水は、給湯端末Ｔや風呂に供給される。
【００２９】
図３は、上記貯湯ユニット１の斜視図を示す。図４は、図３の配管や断熱材などを取り除いた状態を示す斜視図である。図３と図４に示すように、貯湯ユニット１は、ケーシング４０を有する。ケーシング４０は、前板４１と、左右の側板４２，４２と、後板４３と、上板４４と、底板４５とを有する。
【００３０】
上記ケーシング４０には、缶体１１および水熱交換器１２が収容されている。缶体１１および水熱交換器１２は、断熱材１６に覆われている。断熱材１６は、例えば、発泡スチロールなどの樹脂からなる。断熱材１６は、複数のパーツからなる。断熱材１６は、ケーシング４０に収容されている。缶体１１の前方には、配管（例えば、図１、図２に示される配管３１，３２，３３，３５，３７）や電装品が、配置されている。
【００３１】
上記缶体１１は、複数の缶体脚５０に支えられ、起立している。缶体脚５０の上部は、缶体１１の側面に取り付けられ、缶体脚５０の下部は、底板４５に取り付けられる。缶体脚５０は、底板４５の下面に取り付けられるケーシング脚４６とは別体である。缶体脚５０は、ケーシング４０に収容されている。
【００３２】
上記缶体１１は、上記缶体脚５０により、上記底板４５から離隔され、缶体１１の底面と缶体脚５０と底板４５で囲まれた空間が形成される。この空間（つまり、缶体１１の下側）に、水熱交換器１２が配置される。
【００３３】
上記ケーシング４０には、メンテナンス用開口部４７が設けられ、このメンテナンス用開口部４７には、蓋板４８が取り外し可能に取り付けられている。メンテナンス用開口部４７は、水熱交換器１２に対向する位置にある。
【００３４】
図５に示すように、上記断熱材１６は、缶体１１の下側に位置する支持部６０と、この支持部６０に前方（前板４１側）に取り外し可能に取り付けられる蓋部６５とを有する。支持部６０は、水熱交換器１２を支持する。蓋部６５は、支持部６０とともに水熱交換器１２を覆う。
【００３５】
上記支持部６０は、ケーシング４０の底板４５に載置され、缶体１１の底面を覆う。支持部６０は、水熱交換器１２を収納する収納室６１を有し、この収納室６１は、前方に開口している。
【００３６】
上記蓋部６５は、断面、Ｌ字状に形成されている。具体的に述べると、蓋部６５は、水平板６６と、水平板６６に接続される鉛直板６７とを有する。水平板６６は、水平方向に延在している。鉛直板６７は、水平板６６の前端に接続される。鉛直板６７は、水平板６６に直交し、下方に延在する。鉛直板６７の下端６５ａは、支持部６０の収納室６１を構成する下壁の前方内面に当接する。
【００３７】
図６に示すように、上記支持部６０は、蓋部６５をスライド自在に嵌合する嵌合溝６０ａを有する。嵌合溝６０ａは、収納室６１を構成する左右側壁の内面のそれぞれに、設けられている。嵌合溝６０ａは、水平方向で、かつ、前後方向に延在している。嵌合溝６０ａは、断面、矩形状である。
【００３８】
上記蓋部６５の水平部６６は、左右両側のそれぞれに、側端６６ａを有する。左右の側端６６ａは、左右の嵌合溝６０ａに、嵌め込まれる。蓋部６５は、嵌合溝６０ａによって、水平方向にスライド自在となり、かつ、上下方向に規制される。
【００３９】
上記蓋部６５は、支持部６０とともに水熱交換器１２を固定する。水熱交換器１２は、支持部６０の収納室６１を構成する下壁の内面と、蓋部６５の水平板６６との間に、挟まれる。つまり、水熱交換器１２は、支持部６０と蓋部６５とにより、面接触で固定される。
【００４０】
次に、上記水熱交換器１２を取り外す方法について説明する。
【００４１】
まず、図３に示すように、ケーシング４０の蓋板４８を取り外して、メンテナンス用開口部４７（図４参照）から、断熱材１６の蓋部６５を露出させる。そして、図５に示すように、メンテナンス用開口部４７から蓋部６５を手前に取り外し、水熱交換器１２を露出させる。そして、メンテナンス用開口部４７から水熱交換器１２を手前に取り外す。なお、水熱交換器１２の取り付けは、上記手順の逆の手順を行う。
【００４２】
上記構成の貯湯ユニット１によれば、上記断熱材１６は、支持部６０と、支持部６０とともに水熱交換器１２を覆う蓋部６５とを有し、支持部６０は、蓋部６５をスライド自在に嵌合する嵌合溝６０ａを有する。これにより、水熱交換器１２のメンテナンス時に、蓋部６５を支持部６０からスライドさせて取り外し、水熱交換器１２の取り外し、取り付けまたは点検を、容易に行うことができる。
【００４３】
また、上記嵌合溝６０ａは、水平方向に延在して、蓋部６５を水平方向にスライド自在とし、かつ、蓋部６５を上下方向に規制する。これにより、蓋部６５は、水熱交換器１２を上方から押さえることができ、貯湯ユニット１の運送時などにおいて、水熱交換器１２の動きを抑え、水熱交換器１２の破損を防止できる。
【００４４】
また、上記支持部６０は、上記缶体１１を覆うので、水熱交換器１２を覆う断熱材を、缶体１１を覆う断熱材として兼用できる。
【００４５】
また、上記蓋部６５の下端６５ａは、支持部６０に当接する。これにより、水熱交換器１２は、蓋部６５と支持部６０とで十分に覆われ、水熱交換器１２の断熱効果が向上する。
【００４６】
上記構成の給湯装置によれば、上記貯湯ユニット１を備えるので、水熱交換器１２を容易にメンテナンスできて、耐年性を向上できる。
【００４７】
（第２の実施形態）
図７は、この発明の第２実施形態の貯湯ユニットを示す斜視図である。この第２の実施形態は、上記第１の実施形態とは、蓋部の構成のみが相違する。この相違する構成のみを以下に説明する。なお、この第２の実施形態において、上記第１の実施形態と同一の部分には、同一の参照番号を付して、詳細な説明を省略する。
【００４８】
図７に示すように、蓋部６５Ａは、突状の取手６９を有する。この取手６９は、三角形状である。２つの取手６９が、蓋部６５Ａの水平板６６に、取り付けられている。
【００４９】
したがって、この取手６９を持ちながら、蓋部６５Ａを支持部６０に取り付けまたは取り外すことができ、蓋部６５Ａの取り付けまたは取り外しを容易に行うことができる。
【００５０】
なお、この発明は上述の実施形態に限定されない。例えば、上記第１、上記第２の実施形態のそれぞれの特徴点を様々に組み合わせてもよい。
【００５１】
上記第１実施形態では、断熱材は、缶体と水熱交換器を覆っていたが、缶体を覆う断熱材と、水熱交換器を覆う断熱材とに分けてもよい。蓋部の支持部は、缶体を覆っていたが、水熱交換器のみを覆うようにしてもよい。
【００５２】
上記第１実施形態では、蓋部の下端は、支持部に当接していたが、ケーシングの底板に当接するようにしてもよい。
【００５３】
上記第２実施形態では、蓋部は、突状の取手を有していたが、凹状の取手を有するようにしてもよい。
【符号の説明】
【００５４】
１  貯湯ユニット
２  ヒートポンプユニット
１１  缶体
１２  水熱交換器
１６  断熱材
２１  圧縮機
２２  膨張手段
２３  空気熱交換器
４０  ケーシング
４５  底板
６０  支持部
６０ａ  嵌合溝
６１  収納室
６５，６５Ａ  蓋部
６５ａ  下端
６６  水平板
６６ａ  側端
６７  鉛直板
６９  取手
【図１】
2015031427.tif 000003
【図２】
2015031427.tif 000004
【図３】
2015031427.tif 000005
【図４】
2015031427.tif 000006
【図５】
2015031427.tif 000007
【図６】
2015031427.tif 000008
【図７】
2015031427.tif 000009